(57)【特許請求の範囲】
【請求項１】
盗難防止の対象物と結合される警報ユニットと、複数箇所に設置され各々異なる情報を持つ警報作動信号を所定範囲内に各々送信する盗難防止ゲートとを備え、
前記盗難防止ゲートは、各々の警報作動信号の検出領域が部分的に重なるように配置されると共に、前記警報ユニットは、前記異なる警報作動信号を共に受信した時に警報を発することを特徴とする盗難防止装置。
【請求項２】
前記異なる情報を持つ警報作動信号とは、周波数の異なる作動信号、または、位相の異なる作動信号であることを特徴とする請求項１記載の盗難防止装置。
【請求項３】
前記異なる情報を持つ警報作動信号とは、各々コード化された作動信号であることを特徴とする請求項１記載の盗難防止装置。
【発明の詳細な説明】
【０００１】
【発明の属する技術分野】
本発明は、店内に陳列された商品を万引き等の不正行為から保護する盗難防止システムに関するものであり、特に、商品に取り付けられる警報ユニットの警報信号に関するものである。
【０００２】
【従来の技術】
従来、コンパクトディスクカセットや磁気テープカセットあるいはアパレル関連用品等の商品を陳列して販売する販売店では、これらの商品を万引き等の不正行為から保護するため、図５に示す如き盗難防止装置を採用している。
【０００３】
該盗難防止装置は、販売店の入出用の扉（４０）に設置された盗難防止ゲート（３０）と商品（５０）に取り付けられた警報ユニット（２０）とから構成されている。盗難防止ゲート（３０）には回路基板（３１）及び送信アンテナ（図示省略）が内蔵され、回路基板（３１）は警報ユニット（２０）に対する警報作動信号を発生すべき送信回路(図示省略)を備えている。
【０００４】
警報ユニット（２０）は図６に示す如く、ケーシング（２１）の内部にブザー（２２）、回路基板（２３）、電池（図示省略）などを備え、ケーシング（２１）の表面には複数の報音孔（２４）が開設されると共に、警報作動スイッチ片（２５）が埋設されている。ブザー（２２）は回路基板（２３）によって動作が制御されており、商品（５０）から警報ユニット（２０）が取り外されたとき、あるいは警報ユニット（２０）が前記盗難防止ゲート（３０）を通過する時に発鳴するものである。また、警報作動スイッチ片（２５）に替えて、ワイヤで警報ユニットを商品に取り付けるタイプのものもある。この場合、警報ユニットは、ワイヤが取り外された事あるいはワイヤが切断された事を検知して警報を発鳴する。
【０００５】
販売店においては、商品（５０）は、警報ユニット（２０）を取り付けた状態で陳列台に陳列される。店員が客に商品（５０）を販売する際は、警報無効果装置(図示省略)から警報ユニット（２０）の回路基板（２３）に特定のリセット信号を送ってブザー（２２）を発鳴しない状態に設定した上で、警報ユニット（２０）を商品（５０）から取り外し、代金と引き換えに客に商品（５０）を手渡している。
【０００６】
一方、客が不正に商品（５０）から警報ユニット（２０）を取り外すと、警報作動スイッチ片（２５）がオフとなって、ブザー（２２）が発鳴することになる。また、客が不正に商品（５０）を警報ユニット（２０）と共に店外へ持ち出そうとした時は、警報ユニット（２０）の回路基板（２３）が盗難防止ゲート（３０）の送信アンテナからの警報作動信号を受けて、ブザー（２２）が発鳴する事になる。
【０００７】
図３に従来の盗難防止ゲートから送信する警報作動信号の検出領域（１）を示す。ゲート（３０）からは図４に示すようにある一定周波数の間欠信号（ｄ）が出力される。信号の検出範囲は入出用の扉（４０）をカバーする必要があるので、扉（４０）の横に設置している盗難防止ゲートを中心（３０）として、大抵３〜４メートルの半ドーム型の出力となるように検出領域（１）が形成される。
【０００８】
【発明が解決しようとする課題】
しかしながら、販売店においては、一般に店舗面積を有効に使用し、多くの商品を陳列する事が望まれるが、上述したような盗難防止装置では、警報作動信号の検出領域（１）、即ち図３の商品棚（４）の位置に警報ユニット（２０）を付した商品を陳列することができない。また、客が商品をもって会計に行く際に、盗難防止ゲートの背面側(ドア側とは反対側)の検出領域（１）を通っただけでも警報が発鳴してしまい、客に不快感を与えるなどの問題があった。
【０００９】
従って、本発明は、警報が発せられる領域を、警報作動信号の検出領域の一部分だけに規定することのできる盗難防止装置を提供するものである。
【００１０】
【課題を解決するための手段】
本発明の盗難防止装置は、盗難防止の対象物と結合される警報ユニットと、複数箇所に設置され各々異なる情報を持つ警報作動信号を所定範囲内に各々送信する盗難防止ゲートとを備え、前記盗難防止ゲートは、各々の警報作動信号の検出領域が部分的に重なるように配置されると共に、前記警報ユニットは、前記異なる警報作動信号を共に受信した時に警報を発することを特徴とする。
【００１２】
さらに、前記異なる情報を持つ警報作動信号とは、周波数の異なる作動信号、または、位相の異なる作動信号、または、各々コード化された作動信号であることを特徴とする。
【００１３】
【発明の実施の形態】
本発明の一実施例を図面を基に説明する。図１は、本発明の要旨を示す盗難防止装置の説明図である。本発明の基本的な構成としては、従来例で説明したものと同様であり、重複説明は省く。以下本発明の主な構成及び動作を説明する。
【００１４】
警報作動信号を発生するゲートＡ（３０）及びゲートＢ（３２）を入出用の扉の左右に設置する。ゲートＡ（３０）及びゲートＢ（３２）は、配線コード（図示省略）で接続され、各々のゲートから送信される警報作動信号は図２（ａ）、（ｂ）に示すように、間欠波形の位相を替えた信号（発振のタイミングが異なる信号）が出力される。
【００１５】
即ち、図１の点線波形で示す半円の検出領域（１）ではゲートＡ（３０）の警報作動信号（図２．（ａ））、半円の検出領域（２）ではゲートＢ（３２）の警報作動信号（図２．（ｂ））、が検出される。従って、客が入出する領域（３）は検出領域（１）と（２）の重複部分であり、この領域では、商品（５０）に取り付けた警報ユニット（２０）は２つの警報作動信号（ａ）（ｂ）の重畳信号（ｃ）を受信することとなる。
【００１６】
一方、警報ユニット（２０）に内蔵する判断回路は、２つの警報作動信号（ａ）（ｂ）を加えた重畳信号（ｃ）の、例えば間欠波形の周期的なタイミングを比較値としてマイクロコンピュータ（ＲＯＭ等を含む）で初期設定し、実際に受信された重畳信号（ｃ）と比較し同一であれば警報作動信号であると判定し、ブザーを発鳴させる。このように設定することで２つの信号が重複しない検出領域（１）（３）には商品棚（４）（５）を設置することができる。
【００１７】
上記説明において、ゲートＡ（３０）とゲートＢ（３２）の２つの警報作動信号（ａ）と（ｂ）の重畳された重畳信号（ｃ）を判定信号としたが、たとえば、店舗の都合で、扉が左右にあり、中央を商品棚などにした場合は、上記判定信号を逆転させれば良い。即ち、２つの警報作動信号（ａ）と（ｂ）を実際の警報作動信号、受信信号（ｃ）は警報作動ではないとすればよい。具体的には、警報作動信号（ａ）、（ｂ）を各々比較値として初期設定し、ＯＲ判定するか又は、間欠信号の間隔を比較値としてもよい。
【００１８】
また当然のことであるが、警報作動信号が３つ以上になれば判定エリアを増やすことができるため、さらに店内を細分化した監視ができ、警報ユニットに内蔵する判断回路に店内のレイアウトに応じた論理回路を設定すれば種々の店内のレイアウトに変更可能であることは言うまでもない。
【００１９】
さらに、異なる情報をもつ警報作動信号として、位相の異なる間欠波形で説明したが、
異なる周波数、あるいは、各々コード化された情報を用いても同様の効果をえることができる。
【００２０】
【発明の効果】
本発明は、警報作動信号の検出領域を所望の領域だけに規定することができるように構成したので、警報の発鳴する領域を細分化でき、商品陳列棚は各々ゲートの背面にも設置できるなど、限られた店舗を有効に使用できる。
【図面の簡単な説明】
【図１】本発明の要点を示す盗難防止装置を示す図。
【図２】警報作動信号の一実施例を示す波形図。
【図３】従来の盗難防止装置の設置例を示す図。
【図４】従来の警報作動信号を示す図。
【図５】従来の盗難防止装置の設置例を示す図。
【図６】従来の警報ユニットの実施例を示す図。
【符号の説明】
１．２．警報作動信号の領域
３．異なる警報作動信号の重複領域
４．５．商品棚
２０．警報ユニット
２１．ケーシング
２２．ブザー
２３．回路基板
２４．報音孔
２５．警報作動スイッチ片
３０．盗難防止ゲート
３１．回路基板
４０．扉
５０．商品
ａ．ｂ．ｃ．ｄ．警報作動信号
【図１】
0003813425.tif 000002
【図２】
0003813425.tif 000003
【図３】
0003813425.tif 000004
【図４】
0003813425.tif 000005
【図５】
0003813425.tif 000006
【図６】
0003813425.tif 000007